【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
始動口への遊技球の入賞に起因して発生する当否判定権を使用して大当り当否判定が行われ、
遊技状況に応じて演出を変更する演出変更手段を備える遊技機であって、
前記演出変更手段が前記演出を変更するまでの時間を基礎残時間とし、時間の経過と共に減少していく前記基礎残時間の一部又は全部の減少状況を表示タイマにてカウントダウン表示する残時間演出を行う残時間演出実行手段を備える遊技機。
【請求項２】
前記残時間演出実行手段は、前記基礎残時間の終了までに収まる長さの分割残時間を、予め設定された複数の分割残時間の中から抽選して、前記表示タイマにてカウントダウン表示し、
前記カウントダウン表示中に、次の前記分割残時間を前記表示タイマに上乗せする上乗せ演出実行手段を備えた請求項１に記載の遊技機。
【請求項３】
前記残時間演出実行手段は、前記基礎残時間の終了までに収まる長さの分割残時間を、予め設定された複数の分割残時間の中から抽選して、前記表示タイマにてカウントダウン表示し、
前記表示タイマにおけるカウントダウン表示を、抽選された前記分割残時間の期間に亘って中断させる中断演出を実行する中断演出実行手段を備えた請求項１又は２に記載の遊技機。
【手続補正２】
【補正対象書類名】明細書
【補正対象項目名】０００４
【補正方法】変更
【補正の内容】
【０００４】
遊技機では、趣向性の向上が求められている。
【手続補正３】
【補正対象書類名】明細書
【補正対象項目名】０００５
【補正方法】変更
【補正の内容】
【０００５】
本発明は、上記事情に鑑みてなされたものであって、趣向性の向上を図ることが可能な遊技機の提供を目的とする。
【手続補正４】
【補正対象書類名】明細書
【補正対象項目名】０００６
【補正方法】変更
【補正の内容】
【０００６】
上記目的を達成するためになされた請求項１の発明は、始動口への遊技球の入賞に起因して発生する当否判定権を使用して大当り当否判定が行われ、遊技状況に応じて演出を変更する演出変更手段を備える遊技機であって、前記演出変更手段が前記演出を変更するまでの時間を基礎残時間とし、時間の経過と共に減少していく前記基礎残時間の一部又は全部の減少状況を表示タイマにてカウントダウン表示する残時間演出を行う残時間演出実行手段を備える遊技機である。
【手続補正５】
【補正対象書類名】明細書
【補正対象項目名】０００７
【補正方法】変更
【補正の内容】
【０００７】
請求項２の発明は、前記残時間演出実行手段は、前記基礎残時間の終了までに収まる長さの分割残時間を、予め設定された複数の分割残時間の中から抽選して、前記表示タイマにてカウントダウン表示し、前記カウントダウン表示中に、次の前記分割残時間を前記表示タイマに上乗せする上乗せ演出実行手段を備えた請求項１に記載の遊技機である。
【手続補正６】
【補正対象書類名】明細書
【補正対象項目名】０００８
【補正方法】変更
【補正の内容】
【０００８】
請求項３の発明は、前記残時間演出実行手段は、前記基礎残時間の終了までに収まる長さの分割残時間を、予め設定された複数の分割残時間の中から抽選して、前記表示タイマにてカウントダウン表示し、前記表示タイマにおけるカウントダウン表示を、抽選された前記分割残時間の期間に亘って中断させる中断演出を実行する中断演出実行手段を備えた請求項１又は２に記載の遊技機である。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００３４
【補正方法】変更
【補正の内容】
【００３４】
＜右側流下領域Ｒｂの流下経路について＞
右側流下領域Ｒｂの上部には、その右側流下領域Ｒｂを流下する遊技球の全てが通過する共通基幹経路５０が設けられている。共通基幹経路５０は、遊技球が１つだけ通過可能な幅をなして上下方向に延び、その共通基幹経路５０の下端部に、第１基幹流下経路５１と第２基幹流下経路５２とが二股状に連絡されている。第２基幹流下経路５２は、第１基幹流下経路５１との分岐部から遊技領域Ｒの外縁部に沿って下方に延びており、その下端部の排出口５２Ｂが、始動ゲート３０に向かって左斜め下方に開放している。また、第２基幹流下経路５２は、遊技球をサイド始動口３２Ａに入賞させないように案内して、始動ゲート３０や、その下流側に配置された特別始動口３３Ａ、第１及び第２のアタッカー口３４Ａ，３５Ａに向かわせる。
【手続補正１４】
【補正対象書類名】明細書
【補正対象項目名】００３８
【補正方法】変更
【補正の内容】
【００３８】
図４に示すように、第１基幹流下経路５１は、第２基幹流下経路５２との分岐部から、第２基幹流下経路５２よりも大きく左右に蛇行しながら下方に向かって延びており、遊技球が通過する通過時間が、第２基幹流下経路５２よりも長くなるように構成されている。第１基幹流下経路５１の下流側には、サイド始動口３２Ａ、特別始動口３３Ａ、始動ゲート３０等が設けられている。
【手続補正１５】
【補正対象書類名】明細書
【補正対象項目名】０３０６
【補正方法】変更
【補正の内容】
【０３０６】
（６）上記実施形態では、上乗せカウントダウン演出とフリーズ演出とを備えていたが、上乗せカウントダウン演出のみを備えた構成にしてもよい。また、上乗せカウントダウン演出に加えて、液晶表示時間のカウントダウン速度を実際の時間経過よりも遅くする（例えば、１／２〜１／４倍速のカウントダウン）「スローカウントダウン演出」を備えていてもよい。
なお、上記実施形態及び参考例を概念化すると、以下の[１]〜[８]の発明となる。
［１］遊技球が流下する遊技領域に設けられ、遊技球が入賞可能な第１及び第２始動口と、
前記第１の始動口への遊技球の入賞に起因して発生する第１の当否判定権と、前記第２の始動口への遊技球の入賞に起因して発生する第２の当否判定権とをそれぞれ使用してそれぞれ大当り当否判定を行い、前記第１の当否判定権の当否判定結果を報知するための第１の判定報知演出と前記第２の当否判定権の当否判定結果を報知するための第２の判定報知演出とを実行する判定演出手段と、
当りの前記判定報知演出の後に、大当り遊技を実行する大当り遊技実行手段とを備えた遊技機であって、
前記第１の当否判定権による前記大当り当否判定の当りには、前記大当り遊技後の遊技状態を前記大当り当否判定の当り確率が比較的高い確変状態にすることが可能な確変取得容易大当りと、比較的低い非確変状態にすることが可能な確変取得困難大当りとが含められる一方、前記第２の当否判定権による前記大当り当否判定の当りには、少なくとも前記確変取得容易大当りが含まれるように設定され、
前記判定演出手段は、前記第１の当否判定権同士の間及び前記第２の当否判定権同士の間では、発生順に前記当否判定権を使用して前記判定報知演出を実行すると共に使用待ちの前記当否判定権を保留する一方、前記第１又は第２の一方の前記当否判定権の前記判定報知演出が実行中か否かとは無関係に他方の前記当否判定権の前記判定報知演出を実行するように構成され、
保留されている前記第１の当否判定権に当りが含まれている場合に、その当りによる前記大当り遊技の実行前迄の残り時間に対応した時間を基礎残時間として演算する基礎残時間演算手段と、
前記基礎残時間の終了までに収まる長さの分割残時間を、予め設定された複数の分割残時間の中から抽選して、表示タイマにてカウントダウン表示する残時間演出実行手段とを備え、
前記カウントダウン表示中の前記分割残時間に拘わらず次の前記分割残時間を前記表示タイマに上乗せすることが可能な第１の確変演出モードと、
前記カウントダウン表示中の前記分割残時間が予め定められた所定時間以下である場合に限り、次の前記分割残時間を前記表示タイマに上乗せすることが可能な第２の確変演出モードとに切り替える演出モード切替手段とを備えたことを特徴とする遊技機。
［２］前記第１の確変演出モードのときに前記残時間演出実行手段が抽選し得る前記複数の分割残時間には、前記第２の確変演出モードのときに前記残時間演出実行手段が抽選し得る前記分割残時間よりも短い前記分割残時間が含まれていることを特徴とする［１］に記載の遊技機。
［３］前記演出モード切替手段は遊技者が操作可能な操作部を備え、その操作部に対する操作に応じて前記第１の確変演出モードと前記第２の確変演出モードとに切り替えることを特徴とする［１］又は［２］に記載の遊技機。
［１］の発明では、第１の始動口への入賞にて発生する第１の当否判定権と、第２の始動口への入賞にて発生する第２の当否判定権とを使用して、それぞれ大当り当否判定が行われ、それら判定結果を報知する判定報知演出が、それぞれ行われる。その際、第１の当否判定権同士の間及び第２の当否判定権同士の間では発生順に当否判定権を使用して判定報知演出を実行し、使用待ちの当否判定権を保留する。これに対し、第１の当否判定権と第２の当否判定権とでは、第１又は第２の一方の当否判定権の判定報知演出が実行中（判定図柄が変動表示中）か否かとは無関係に他方の当否判定権の判定報知演出を開始する（判定図柄の変動表示を開始する）。即ち、第１の当否判定権に基づく判定報知演出と、第２の当否判定権に基づく判定報知演出とを、並行して行うことが可能であるから、従来の遊技機において遊技者が抱いていた判定報知演出に対する不満を解消することが可能になる。
また、本発明では、第１の当否判定権による当りには、確変取得容易大当りと確変取得困難大当りとが含められる一方、第２の当否判定権による当りには、少なくとも確変取得容易大当りが含まれるように設定されているから、確変状態においては、第１の当否判定権による当りとなれば、非確変状態になってしまう虞がある。つまり、確変状態において、保留されている第１の当否判定権に大当り当否判定の当りが含まれている場合には、将来、その当りによる大当り遊技の実行後に、現在の確変状態が、非確変状態に引き下げられる可能性がある。ここで、本発明では、第１の当否判定権に基づく大当り遊技が開始されるまでの残り時間に対応した基礎残時間を演算し、その基礎残時間の一部である分割残時間が表示タイマにてカウントダウン表示されるから、確変状態が終了し得る（非確変状態に切り替わる）ピンチの到来が、刻一刻と迫ってくる緊迫感を遊技者に与えることが可能になり、趣向性の向上を図ることが可能になる。
さらに、本発明では、基礎残時間の終了までに収まる長さの分割残時間を、予め設定された複数の分割残時間の中から抽選してカウントダウン表示すると共に、カウントダウン表示中の分割残時間に、次の分割残時間を上乗せしてカウントダウン表示するから、恰も確変状態から非確変状態への転落が延期されたかのような演出になり、遊技者の気分を盛り上げることが可能になる。
しかも、本発明では、表示タイマへの分割残時間の上乗せが、比較的こまめに行われ易い第１の確変演出モードと、比較的長い時間間隔をあけて行われ易い第２の確変演出モードとが設定され、それら第１と第２の確変演出モードを切り替えることが可能であるから、表示タイマに分割残時間を上乗せする演出が単調化することを回避することができ、更なる趣向性の向上を図ることが可能になる。
ここで、第１と第２の確変演出モードは、抽選によってランダムに切り替えてもよいし、［３］の発明のように、操作部の操作によって遊技者が任意に切り替えられるようにしてもよい。［３］の発明によれば、表示タイマに分割残時間を上乗せする演出に、遊技者の意向を反映させることができるから、満足度を高めることができる。
［２］の発明によれば、第１の確変演出モードのときには、第２の確変演出モードのときには抽選されることのない比較的短い上乗せ時間を抽選することが可能となっている。即ち、カウントダウン中の分割残時間が予め定められた所定時間以下である場合に限り、次の分割残時間の抽選及び上乗せを実行することが可能な「第２の確変演出モード」では、カウントダウン中の分割残時間に拘わらず、次の分割残時間の抽選及び上乗せを実行することが可能な「第１の確変演出モード」に比べて、分割残時間を上乗せする機会が少なくなるから、その分、比較的長い「分割残時間」が抽選され易いように構成されている。つまり、第２の確変演出モードでは、比較的長い「分割残時間」が比較的長い時間間隔（インターバル）で上乗せされるのに対し、第１の確変演出モードでは、第２の確変演出モードに比べて短い「分割残時間」が比較的短い時間間隔（インターバル）で上乗せされ得るようにすることが可能になる。
［４］始動口への遊技球の入賞に起因して発生する当否判定権を使用して大当り当否判定が行われ、
遊技状況に応じて演出を変更する演出変更手段を備える遊技機であって、
前記演出変更手段が前記演出を変更するまでの時間を基礎残時間とし、時間の経過と共に減少していく前記基礎残時間の一部又は全部の減少状況を表示タイマにてカウントダウン表示する残時間演出を行う残時間演出実行手段を備える遊技機。
［５］始動口への遊技球の入賞に起因して発生する当否判定権を使用して大当り当否判定を行い、その当否判定結果を報知するための判定報知演出を実行する判定演出手段を備え、
前記判定演出手段は、発生順に前記当否判定権を使用して前記判定報知演出を実行すると共に使用待ちの前記当否判定権を保留するように構成された遊技機であって、
保留されている前記当否判定権に当りが含まれている場合に、その当りの前記当否判定権に係る判定報知演出の終了迄の残り時間に対応した時間を基礎残時間とし、時間の経過と共に減少していく前記基礎残時間の一部又は全部の減少状況を表示タイマにてカウントダウン表示する残時間演出を行う残時間演出実行手段を備える遊技機。
［６］始動口への遊技球の入賞に起因して発生する当否判定権を使用して大当り当否判定を行い、その当否判定結果を報知するための判定報知演出を実行する判定演出手段と、
当りの前記判定報知演出の後に、大当り遊技を実行する大当り遊技実行手段と、を備え、
前記判定演出手段は、発生順に前記当否判定権を使用して前記判定報知演出を実行すると共に使用待ちの前記当否判定権を保留するように構成された遊技機であって、
前記大当り当否判定の当りには、前記大当り遊技後の遊技状態を前記大当り当否判定の当り確率が比較的高い確変状態にすることが可能な確変取得容易大当りと、比較的低い非確変状態にすることが可能な確変取得困難大当りとが含まれるように設定され、
保留されている前記当否判定権に当りが含まれている場合に、その当りによる前記大当り遊技の実行前迄の残り時間に対応した時間を基礎残時間とし、時間の経過と共に減少していく前記基礎残時間の一部又は全部の減少状況を表示タイマにてカウントダウン表示する残時間演出を行う残時間演出実行手段を備える遊技機。
［７］前記残時間演出実行手段は、前記基礎残時間の終了までに収まる長さの分割残時間を、予め設定された複数の分割残時間の中から抽選して、前記表示タイマにてカウントダウン表示し、
前記カウントダウン表示中に、次の前記分割残時間を前記表示タイマに上乗せする上乗せ演出実行手段を備えた請求項［４］乃至［６］の何れか１の請求項に記載の遊技機。
［８］前記残時間演出実行手段は、前記基礎残時間の終了までに収まる長さの分割残時間を、予め設定された複数の分割残時間の中から抽選して、前記表示タイマにてカウントダウン表示し、
前記表示タイマにおけるカウントダウン表示を、抽選された前記分割残時間の期間に亘って中断させる中断演出を実行する中断演出実行手段を備えた請求項［４］乃至［７］の何れか１の請求項に記載の遊技機。